(57)【要約】      （修正有）【課題】高速反応ヒータを備えた金属シートの処理炉の提供。【解決手段】金属処理炉１０に入る前に金属を予熱するための高速反応ヒータ１を用いるシステム及び方法であって、本システム及び方法は、特に、材料、質量流量、ライン速度、及び／または所望の処理工程の変化に応じて、金属処理に対する制御を改善することができる。高速反応ヒータは、金属処理炉が一定温度のままであるか、または新しい動作状態にゆっくり遷移する一方で、高速反応ヒータの出力を迅速に調整するために、オペレータ入力、工程パラメータの直接的もしくは間接的な感知、及び／または熱モデルの使用に基づいて高速反応ヒータの出力を調整するための制御システムと共に使用されてもよい。結果として得られる、工程制御の増加は、より高品質の製品、スクラップの減少、及びライン速度と出力の増加をもたらす。【選択図】図１
2019189945.tif 000002
【特許請求の範囲】
【請求項１】
動いている金属シートを受け入れるための炉入口を有する金属処理炉であって、前記金属処理炉内の雰囲気温度を測定するためのセンサーを備えた金属処理炉と、
前記金属シートを予熱するために前記炉入口に近接して配置可能な高速反応ヒータと、
前記金属処理炉内の前記雰囲気温度を用いて前記高速反応ヒータの熱出力を自動的に制御するように、前記センサー及び前記高速反応ヒータに結合されたコントローラと、を備える、金属処理システム。
【請求項２】
前記金属処理炉は、前記金属処理炉内の前記動いている金属シートの温度を測定するための第２のセンサーをさらに備え、前記コントローラは、前記金属処理炉内の前記動いている金属シートの前記温度をさらに用いて前記高速反応ヒータの前記熱出力を自動的に制御するように、前記第２のセンサーにさらに結合される、請求項１に記載の金属処理システム。
【請求項３】
前記高速反応ヒータは連続的に動作される、請求項１に記載の金属処理システム。
【請求項４】
前記金属処理炉の前記雰囲気温度は、予め選択された温度の約１０パーセントの範囲内にとどまる、請求項３に記載の金属処理システム。
【請求項５】
前記金属処理炉の前記雰囲気温度は、予め選択された温度の約５パーセントの範囲内にとどまる、請求項３に記載の金属処理システム。
【請求項６】
前記高速反応ヒータは前記金属処理炉の遷移中に動作される、請求項１に記載の金属処理システム。
【請求項７】
前記金属処理炉の前記遷移は、金属シートまたはプレートの厚さ、金属シートまたはプレートの処理速度、金属シートまたはプレートの合金、及び金属処理炉の目標温度の変更からなる群から選択される少なくとも１つの遷移を含む、請求項６に記載の金属処理システム。
【請求項８】
前記高速反応ヒータは誘導ヒータを備える、請求項１に記載の金属処理システム。
【請求項９】
前記高速反応ヒータは直接火炎衝突ヒータを備える、請求項１に記載の金属処理システム。
【請求項１０】
前記高速反応ヒータは誘導ヒータ及び直接火炎衝突ヒータを備える、請求項１に記載の金属処理システム。
【請求項１１】
前記金属シートの厚さを測定する厚さセンサーを備え、前記コントローラは、前記金属シートの前記厚さをさらに用いて前記高速反応ヒータの前記熱出力を自動的に制御するように、前記厚さセンサーにさらに結合される、請求項１に記載の金属処理システム。
【請求項１２】
前記金属シートのスループットを測定するスループットセンサーをさらに備え、前記コントローラは、前記金属シートの前記スループットをさらに用いて前記高速反応ヒータの前記熱出力を自動的に制御するように、前記スループットセンサーにさらに接続される、請求項１に記載の金属処理システム。
【請求項１３】
熱モデルを含むデータストアをさらに備え、前記コントローラは、前記熱モデルをさらに用いて前記高速反応ヒータの前記熱出力を自動的に制御するように、前記データストアにさらに接続される、請求項１に記載の金属処理システム。
【請求項１４】
前記熱モデルは、高速反応ヒータのパラメータ、金属処理炉のパラメータ、及び金属特性からなる群から選択された少なくとも１つのパラメータを含む、請求項１３に記載の金属処理システム。
【請求項１５】
前記高速反応ヒータは、前記金属シートの幅にわたって個々の部分に選択的に熱を加えるように、前記高速反応ヒータを横切って間隔を置かれた複数の個別加熱要素を含み、前記コントローラは、前記複数の個別加熱要素が前記金属シートの前記幅にわたって前記金属シートを選択的に予熱するように、前記複数の個別加熱要素の各々の熱出力を個別に制御するよう構成される、請求項１に記載の金属処理システム。
【請求項１６】
前記コントローラは、前記金属処理炉の前記雰囲気温度を用いて計算される前記金属処理炉のヒートヘッドを用いて前記高速反応ヒータの前記熱出力を自動的に制御するように構成される、請求項１に記載の金属処理システム。
【請求項１７】
請求項１に記載の金属処理システムにおいて金属を処理する方法であって、
前記高速反応ヒータ内で金属シートを予熱することと、
前記金属処理炉内の前記金属シートに熱を加えることと、
前記金属処理炉内の雰囲気温度を監視することと、
前記監視された雰囲気温度を用いて前記高速反応ヒータの熱出力を自動的に調整することと、を含む、方法。
【請求項１８】
前記金属処理炉内の前記動いている金属シートの温度を監視することをさらに含み、前記高速反応ヒータの前記熱出力を自動的に調整することが、前記監視された雰囲気温度及び前記動いている金属シートの前記監視された温度を用いてヒートヘッドを計算することと、前記計算されたヒートヘッドに基づいて前記高速反応ヒータの前記熱出力を調整することと、を含む、請求項１７に記載の方法。
【請求項１９】
前記高速反応ヒータ内の前記金属シートを予熱することが連続的に生じる、請求項１７に記載の方法。
【請求項２０】
前記金属処理炉内の前記金属シートに熱を加えることは、前記金属処理炉を一定温度に維持することを含む、請求項１７に記載の方法。
【請求項２１】
前記金属処理炉の前記雰囲気温度を第１の温度設定と第２の温度設定との間で遷移させることをさらに含み、前記高速反応ヒータの前記熱出力を自動的に調整することは、遷移中の前記金属処理炉の前記雰囲気温度への変更を補償するように前記熱出力を選択することを含む、請求項１７に記載の方法。
【請求項２２】
前記高速反応ヒータは、誘導ヒータを含む、請求項１７に記載の方法。
【請求項２３】
前記高速反応ヒータは、直接火炎衝突ヒータを含む、請求項１７に記載の方法。
【請求項２４】
前記高速反応ヒータは、誘導ヒータ及び直接火炎衝突ヒータを含む、請求項１７に記載の方法。
【請求項２５】
前記金属シートの厚さを監視することをさらに含み、前記高速反応ヒータの前記熱出力を自動的に調整することは、前記監視された厚さを用いることを含む、請求項１７に記載の方法。
【請求項２６】
前記金属シートのスループット速度を監視することをさらに含み、前記高速反応ヒータの前記熱出力を自動的に調整することは、前記監視されたスループット速度を用いることを含む、請求項１７に記載の方法。
【請求項２７】
前記高速反応ヒータの前記熱出力を自動的に調整することは、熱モデルを用いることを含む、請求項１７に記載の方法。
【請求項２８】
前記熱モデルは、高速反応ヒータのパラメータ、金属処理炉のパラメータ、及び金属特性からなる群から選択される少なくとも１つのパラメータを含む、請求項２７に記載の方法。
【請求項２９】
前記高速反応ヒータ内の前記金属シートを予熱することは、前記高速反応ヒータを横切って間隔を置いて配置された複数の個別加熱要素を用いて前記金属ストリップの幅にわたって熱を選択的に加えることを含み、前記高速反応ヒータの前記熱出力を自動的に調整することは、前記金属ストリップの前記幅にわたって前記選択的な加熱を制御するように、前記複数の個別加熱要素の各々を個別に制御することを含む、請求項１７に記載の方法。
【発明の詳細な説明】
【技術分野】
【０００１】
本開示は、一般に、金属処理工程のための炉に関する。より具体的には、本開示は、伝統的な炉と組み合わせた高速反応ヒータの使用法、及び関連制御システムに関する。
【０００２】
関連出願の相互参照
本出願は、２０１５年６月２４日に出願された米国仮特許出願第６２／１８３，８１０号「ＦＡＳＴ  ＲＥＳＰＯＮＳＥ  ＨＥＡＴＥＲＳ  ＡＮＤ  ＡＳＳＯＣＩＡＴＥＤ  ＣＯＮＴＲＯＬ  ＳＹＳＴＥＭＳ  ＵＳＥＤ  ＩＮ  ＣＯＭＢＩＮＡＴＩＯＮ  ＷＩＴＨ  ＭＥＴＡＬ  ＴＲＥＡＴＭＥＮＴ  ＦＵＲＮＡＣＥＳ」の利益を主張し、参照によりその全体が本明細書に組み込まれる。
【背景技術】
【０００３】
炉は、さらなる処理のために金属をアニール、硬化、熟成、予備熟成、処理または軟化するための金属の製造、及び処理に日常的に使用されている。いくつかの炉は、材料が炉の全長にわたって引き出されるとき、金属シートまたはプレートを連続的に処理するために使用されてもよい。
【０００４】
今日では、金属シート及びプレートの需要が高まり、より高い材料品質に対する欲求、及び処理工程の複雑化と相まって、処理炉のサイズが大きくなってきている。炉は、より複雑な加熱工程、より高品質の製品、及びより速い処理速度を求めて、様々な温度について印加の長さと複数の加熱ゾーンを増加させながら開発されてきた。
【０００５】
しかしながら、長い炉は高価であり、金属処理プラントにおいて貴重なスペースを使い尽くす。長い炉では、また、金属シートまたはプレートが炉の全長にわたって引き出されるときに、付加応力が金属シートまたはプレートに加わる。長い炉による付加応力は、金属シートまたはプレートの不安定性を引き起こし、引裂または材料欠陥につながる可能性がある。長い炉は、また、顕著な熱慣性を有し、それらの処理ゾーンの温度を上昇または低下させるためには比較的長い時間を必要とする。結果として、材料の組成、材料の厚さ、ライン速度、または材料処理工程の変更に対する反応が遅くなる可能性がある。伝統的な金属処理炉の遅い反応により、処理の遅延が長引くか、または次に廃棄物として廃棄しなければならない遷移材料を使用することが必要となる。
【発明の概要】
【０００６】
本開示の態様は、金属処理炉と組み合わせた高速反応ヒータの使用法、及びオプションの関連制御システムに関する。高速反応ヒータは、金属シートまたはプレートが主処理炉に入る前にそれを予熱するために使用される。高速反応ヒータは、入ってくる金属シートまたはプレートの温度を迅速に調整して、材料、材料の厚さ、ライン速度、または工程のタイプの急な変更に適応させることができる。高速反応ヒータは、材料または工程パラメータの変動を補償するために連続的に使用され、既存の金属処理炉を用いて材料の処理を高速化し、及び／または主処理炉をより低い温度で稼働させることができる。あるいは、主炉の熱慣性及び遅い反応時間を補償するために、金属処理炉の遷移中に高速反応ヒータを用いることができる。例えば、金属処理炉がより高い温度領域に遷移しているとき、高速反応ヒータは、金属ストリップまたはプレートを予熱することによって補償することができる。金属処理炉の温度が上昇するにつれて、高速反応ヒータは、適切な工程パラメータを維持するために予熱量を徐々に低下させることができる。
【０００７】
高速反応ヒータは、手動で制御することができ、または能動ないしは受動制御システムを用いて、金属ストリップまたはプレートに加えられる予熱の量を変えることができる。制御システムは、測定及びフィードバック制御のための熱モデルまたはセンサーを含むことができる。例えば、制御システムは、炉温度、高速反応ヒータの前後の金属温度、材料の厚さの直接的または間接的な感知を含むことができ、及び／または処理前後の平坦性など材料の品質を定量化するセンサーを含むことができる。
【０００８】
次の図面を参照して、本開示の例示的な実施形態を以下に詳細に説明する。
【図面の簡単な説明】
【０００９】
【図１】金属処理炉の開口部またはその近くに配置された高速反応ヒータの概略側面図である。
【図２】オプションの感知及び制御要素を備えた高速反応ヒータの概略側面図である。
【図３】オプションの感知要素及び制御要素を備えた金属処理炉ゾーンの概略側面図である。
【図４】オプションの感知要素及び制御要素を備えた金属処理炉ゾーンの概略側面図である。
【図５】高速反応ヒータのためのオプションの制御システムの概略図である。
【図６】金属処理炉で行われる金属処理に工程に関連して高速反応ヒータの出力を制御するための例示的な方法を示す図である。
【発明を実施するための形態】
【００１０】
本発明の実施形態の主題は、法的要件を満たすために明細書では具体的に記載されているが、この説明は必ずしも特許請求の範囲を限定するものではない。請求された主題は、他の方法で具現化されてもよく、異なる要素またはステップを含んでもよく、かつ、他の既存または将来の技術と共に使用されてもよい。この説明は、個々のステップの順序または要素の配置が明示的に記載されている場合を除いて、様々なステップまたは要素の中または間に特定の順序または配置を暗示するものと解釈されるべきではない。
【００１１】
本開示の特定の態様及び特徴は、製造中に金属を処理するために使用される金属処理炉と組み合わせた高速反応ヒータ、及びオプションの制御システムの使用法に関する。高速反応ヒータは、材料がより大きな金属処理炉に入る前に、材料、一般には金属、の予熱を可能にする。高速反応ヒータは、金属処理炉よりも小さく、材料に加えられる熱量のはるかに速い動的変更を可能にし、その結果、材料の種類、材料の厚さ、ライン速度、及び／または材料の質量流量に変更があっても、材料温度のはるかに速い変更を可能にする。材料に与えられる熱及び温度の量を迅速に変更することができる限り、任意のタイプのヒータを使用することができるが、高速反応ヒータのいくつかの非限定的な例には、これに限定されないが、調整可能な電流周波数を有する誘導ヒータを含む誘導ヒータ、または直接火炎衝突ヒータが含まれる。高速反応ヒータは、熱出力を変化させるための制御システムと共に動作することができる。この制御システムは、センサー、熱モデル、パラメータのオペレータ入力、及び／または直接オペレータ制御、またはそれらの任意の組み合わせなど、任意の適切な入力に依存することができる。
【００１２】
高速反応ヒータは、通常は、大量の金属処理工程を実施する、より大きな金属処理炉の前に配置される。そのような工程の例としては、限定されるものではないが、エイジング、予備エイジング、硬化、溶液加熱、アニーリングなどが挙げられる。金属処理炉の前に高速反応ヒータを追加することにより、高速反応ヒータは材料が金属処理炉に入る前に材料を予熱することができる。金属処理炉は、そのサイズが大きいため、ライン速度、工程タイプ、材料のタイプ、及び／または材料の質量流量の変化に適応させるように、その温度を迅速に変更することができない。しかしながら、高速反応ヒータは、ライン速度、質量流量、材料のタイプ、及び／または工程タイプの変動に対して予熱量を迅速に変えることにより、金属処理炉の遅い反応を補償することができる。高速反応ヒータは、材料に付加される全体的な熱を変化させるために使用されて、適切な工程パラメータを維持し、一方、金属処理炉は、全体的な工程が高速反応ヒータによって変更されている間、温度をゆっくりと変更し、または一定の温度を維持することができる。高速反応ヒータは、金属処理炉が一定の温度を維持する間、全体的な工程に必要な全ての変動を提供するために使用される、すなわち、高速反応ヒータは、処理工程全体に必要な変動を与え、金属処理炉の過渡的な挙動を補償するように継続的に調整することができる。本明細書で使用される場合、金属処理炉の一定温度は、予め選択された温度から約±１０％以下だけ変動するものであってもよい。場合によっては、金属処理炉の一定温度は、予め選択された温度から約±５％以下だけ変動するものであってもよい。他の場合には、金属処理炉の一定温度は、予め選択された温度から約±２％以下だけ変動するものであってもよい。金属処理炉またはその個々のゾーンについては、特定の工程の必要性、または金属処理炉及び関連設備の能力に基づき、任意の温度を選択することができる。処理されている金属がアルミニウムであるようないくつかの場合、予め選択された温度は、通常は、金属処理炉またはその個々のゾーンのいずれか１つに対して摂氏約４３０〜６３０度の範囲であってもよい。
【００１３】
高速反応ヒータを使用すると、金属処理炉単独の使用に比べて多くの利点を提供することができる。高速反応ヒータは、金属処理炉の長さを短縮したり、生産ラインの他の部分で追加の加熱工程を必要としたりすることをなくすために使用することができる。高反応ヒータを使用することにより、金属処理工程全体にわたる生産速度の向上及び動的制御が可能になる。高速反応ヒータを用いて金属に加えられる熱量を急速に変更する能力により、金属処理炉は、金属処理炉の切替え中にダウンタイム、またはスクラップを発生せずに、工程または材料の遷移期間に、連続的に動作することが可能になる。精度と制御の向上は、また高品質の製品をもたらすことになる。
【００１４】
処理中に金属の粒径を制御することが望ましい場合が多い。特に、処理工程の後に、より小さな粒径を有する金属シートまたはプレートを製造することが効果的であり得る。高速反応ヒータは金属シートまたはプレートを迅速に加熱して、金属処理炉のみで可能であるよりも急速に材料を再結晶化することができる。加熱速度が速くなると、金属シートまたはプレートにおける粒径が小さくなり、かつ、製品品質が改善されることになる。より一般的には、高速反応ヒータを用いて、加えられる熱量及び金属シートまたはプレートへの熱の印加速度を変え、最終製品の粒径を増減させることができる。例えば、シミュレーションによると、摂氏約４００〜５００度の温度でアニールされた冷間圧延された６０００シリーズのアルミニウムシートは、高速反応ヒータを使用する場合に可能な、１秒当たり摂氏約１２０〜１６０度の加熱速度に晒されたときに、約２０μｍ〜３０μｍの範囲の平均粒径を達成し得ることを示す。これは、平均して、金属処理炉単独についてごく典型的な速度である、１秒当たり摂氏約６０〜８０度の加熱速度で達成される粒径よりも約４μｍ小さい粒径が、高速反応ヒータを用いて達成できるということである。異なる金属、合金、及び／または処理工程は、上述したものとは異なるパラメータ、条件、及び／または設定値を必要とすることがあるが、より速い加熱速度を誘導し、工程条件の変更に応じてそれらの加熱速度を迅速に変動させる、高速反応ヒータの能力により、製造中の金属粒径及び一貫性をより細かく制御することができる。
【００１５】
高速反応ヒータは、また、金属シートまたはプレートの幅にわたる加熱、及び温度の均一性について付加制御することにより、工程の安定性を改善することができる。本明細書で使用される場合、金属シートという用語は、金属シート、金属プレート、金属ストリップ、または他のものを含み得る。伝統な加熱方法では、金属シートまたはプレートが処理工程を通過するときに、金属シートまたはプレートの幅にわたって均一な温度勾配を作り出すことは、不可能ではないにしても、困難であることが多い。高速反応ヒータは、金属シートまたはプレートに加えられる熱量を迅速に変動させることができ、かつ、金属シートまたはプレートの幅全体にわたって選択的に加熱または冷却することによって制御の機会を提供することができるため、付加的な制御を提供することができる。
【００１６】
誘導ヒータ、直接火炎衝突ヒータ、または他のヒータの１つ以上の任意の組み合わせを高速反応ヒータに使用することができる。場合によっては、高速反応ヒータは、複数のヒータ、すなわち、直接火炎衝突ヒータの場合には複数の火炎源を含むことができる。誘導ヒータを直接火炎衝突ヒータと組み合わせて、各熱源の様々な加熱特性を活用することも可能である。例えば、金属シートまたはプレートが高速反応ヒータを通過する際に加熱を開始するために誘導ヒータを使用することができる。最初の温度勾配が確立されると、直接火炎衝突ヒータを用いて、金属シートまたはプレートの幅にわたってより低い温度の領域を目標にすることができる。場合によっては、高速反応ヒータ内の金属シートまたはプレートの幅にわたる温度勾配は、スプレーまたはガスノズルで制御することができる。ターゲットスプレーまたはノズルは、冷却ガスまたは冷却ミストを噴霧して、金属シートまたはプレートのホットスポットを局所的に冷却し、または加熱されたガスまたはミストを噴霧してクールスポットを温めて、金属処理工程中の均一性を確保することができる。
【００１７】
高速反応ヒータは、金属処理炉内の温度を上昇させる必要がある工程または材料の切替え中に使用することができる。しかしながら、高速反応ヒータは、また、金属処理炉内のより低い温度を必要とする工程への切替えがある場合に機能性を提供する。例えば、金属処理炉はより低い連続温度で稼働されてもよい。次いで、高速反応ヒータを用いて予熱を提供することができ、この予熱は、ライン速度、材料、質量流量の変動を吸収する働きをし、及び／または、金属処理炉がより低い（または一定の）温度で稼働している間に、全体の工程熱流を所望のレベルまで増加させる。次に、より低い温度を必要とする処理工程に切り替える必要がある場合、金属処理炉が一定温度のままである間に、高速反応ヒータは予熱のレベルを迅速に低下させるか、または完全に除去することができる。より低い温度、及び／または一定の温度で金属処理炉を操作する能力は、金属生産における付加的な柔軟性と、効率の向上及びランニングコストの低減の可能性とをもたらす。
【００１８】
他の状況では、ある種の金属処理工程を行うのに非常に高いヒートヘッドで金属処理炉を稼動させることが望ましい場合がある。高速反応ヒータは、高いヒートヘッド条件下で金属処理炉を安全に稼働させる一方、全体的な処理工程において付加的な安全性及び柔軟性を提供することもできる。例えば、金属シートまたは金属プレートを高いヒートヘッド及び高い質量流量で金属処理炉を通り抜けさせることが望ましい場合がある。言い換えれば、金属シートまたはプレートは、より高い金属処理炉温度に晒されるが、金属シートまたはプレートが処理工程中に溶融しないことを確実にするために、より高速の処理工程で移動する。このような状況下でライン速度を変更すると、金属シートまたはプレートが金属処理炉内で溶融し、装置の損傷、生産性の低下、及び潜在的な安全上の障害物をもたらす危険または不安定な状態につながる可能性がある。しかしながら、金属処理炉に入る前に金属シートまたはプレートを予熱するために高速反応ヒータを使用する場合、危険な処理状態を避けるために処理全体を考慮し調整することができる。例えば、誤動作、オペレータエラー、またはプラント条件変更のいずれかにより、金属シートまたはプレートのスループット速度が予期せずに、または突然に低下した場合、高速反応ヒータは、金属シートまたはプレートが金属処理炉に入る前に、金属シートまたはプレートに加えられる熱量を迅速に低減することができる。金属シートまたはプレートから予熱を迅速に除去することにより、より低い温度で金属を金属処理炉に入り込ませ、溶融の危険性を低減しながらより遅い速度で通過させることができることが効果的である。
【００１９】
高速反応ヒータが、金属処理炉を使用せずに金属シートまたはプレートを独立して処理することができる他の状況または情勢が存在し得る。これらの工程の間、高速反応ヒータは、その熱出力及びスループット速度を調整して、金属シートまたはプレートを必要な滞留時間のための所望の温度で処理することができる。
【００２０】
図１は、金属処理炉１０の開口部またはその近くに配置された高速反応ヒータ１の概略側面図である。金属処理炉１０は複数のゾーン１１を含み、ゾーンの各々は、様々な温度、圧力、大気組成、または他の工程特性またはパラメータを有することができる。高速反応ヒータ１は、金属２が金属処理炉１０に入る前に金属２に熱を加えることができる金属処理炉１０の入口またはその近くに配置される。いくつかの例では、金属２は、高速反応ヒータ１を通過するのに約２〜１０秒を費やすことがある。しかしながら、金属２、金属処理炉１０及び／または高速反応ヒータ１の特性により、高速反応ヒータ１における金属２の滞留時間は、特定の工程によって所望され、または必要とされる任意の適切な時間であってもよい。例えば、（ステンシルインクの乾燥または乾式潤滑剤の塗布など）流下塗布のためのプレエージング、またはストリップの暖かさを維持するために使用される再加熱塗布では、金属２は、高速反応ヒータ１を通過する時間が２秒未満であることがある。一例では、周囲温度よりも高い所望の最低ストリップ温度を維持するために、間隔をあけた流下距離で複数の高速反応ヒータを使用することができる。所望の最低ストリップ温度により、流下工程、または全工程ラインの一般的な性能において、効率または、成果を最大にするように設定することができる（例えば、最低のストリップ温度により、工程ラインにおける工程間の金属ストリップのより良好な潤滑分散及び／または操縦性を可能にすることができる）。別の実施例では、１つ以上の高速反応ヒータにより、より低い温度から所望の最低ストリップ温度までストリップ温度を迅速に上昇させることができる。
【００２１】
高速反応ヒータ１の使用は、全処理工程の一部として、または金属処理炉１０の一時的動作の期間中の金属処理工程の安定化を助けるために、連続的または間欠的であってもよい。場合によっては、高速反応ヒータ１の熱出力は、高速反応ヒータ１が金属２の工程、生産速度、または質量流量のあらゆる変化を補償してラインの安定性を維持する一方、金属処理炉１０が一定温度で（すなわち、金属処理炉１０の設定を変更せずに）稼働するのに十分なほど大きい。例えば、金属処理炉１０を通る金属２の処理工程、材料、材料の形状または質量流量が、金属処理炉１０内でより高い温度を必要とするように変更する場合、高速反応ヒータ１は、金属処理炉１０が動作温度に達する遷移中に、金属２に熱を加えることによって補償することができる。
【００２２】
高速反応ヒータ１は、誘導ヒータまたは直接火炎衝突ヒータなど、金属２に加えられる熱量を急速に増加または減少させることができるヒータである。より具体的には、交流電流の周波数の可変性を可能にする誘導ヒータは、金属２に与えられる熱エネルギーの量を制御する付加的な方法を有する点で特に有用である。高速反応ヒータ１は、金属２に加えられる熱量を比較的急速に調整することができるため、金属処理炉１０がより遅い速度で新しい温度に調整している間、金属２に連続的に熱を加えることによって、金属処理炉１０のより遅い反応速度を補償することができる。金属処理炉１０が高温になると、高速反応ヒータ１は、金属２に加えられる予熱の量を徐々に減少させ、処理工程全体において金属に加えられる適切な熱量を維持することができる。従来の金属処理炉１０への高速反応ヒータ１の付加は、金属に加えられる全体的な熱量の急速な変更が必要または望ましい、任意の処理工程を受ける任意形状の任意の金属と共に使用することができる。しかしながら、金属処理炉１０に入る前に金属２を予熱するために高速反応ヒータ１を使用することは、プレートまたはシートとして処理されるアルミニウムまたはアルミニウム合金の製造に特に有用であり得る。
【００２３】
場合によっては、高速反応ヒータ１を用いて、金属２が主金属処理炉１０に入る前に金属２に１つ以上の付加的な処理ステップを提供することができる。しかしながら、いくつかの実施例では、高速反応ヒータ１を用いて既存の金属処理工程の効率を高めることができる。言い換えれば、そして一実施例として、高速反応ヒータ１を使用して、金属処理炉１０の遅い反応を補償し、工程条件が変更される際に既存の金属処理工程を維持することができる。高速反応ヒータ１は、合金、プレートまたはシートの形状、質量流量、または、最終製品の品質または一貫性に影響を与える可能性のある他の工程パラメータの変更にもかかわらず、金属２に一貫した処理工程を施すことができる。
【００２４】
図２は、オプションの制御ユニット３０を有する高速反応ヒータ１の概略側面図である。制御ユニット３０は、任意の数のセンサーを通じて工程パラメータのリアルタイム読み取りを行うことができる。例えば、制御ユニット３０は、高速反応ヒータ１を通じてプレートまたはシートなどの金属２の進行速度を測定する速度センサー２１から信号を受け取ることができる。温度センサー２２は、高速反応ヒータ１に入る前に金属２の入来温度を判定するために用いることができる。温度センサー２２を使用して金属の入来温度を判定することにより、天候またはプラント条件を計算に入れて、より正確な工程制御及び高速反応ヒータ１の調整が可能になる。制御システムは、金属２が高速反応ヒータ１に入るときに、金属２のゲージまたは形状を測定するための厚さセンサー２３を組み込むこともできる。次に、厚さ測定値は、制御ユニット３０によって使用されて、高速反応ヒータ要素４０を調整し、異なるゲージの材料を補償し、かつ、速度センサー２１からの速度の測定値と組み合わさって、高速反応ヒータ１を通る金属２の質量流量を決定することができる。高速反応ヒータ１を通る金属２の質量流量は、システムを通る材料の量に対する出力の必要レベルを決定するために制御ユニット３０によって使用することができる。制御システムは、また、予熱後かつ主金属処理炉１０（図示せず）に入る前の金属２の状態を監視する出口金属温度センサー２４を組み込んでもよい。出口金属温度センサー２４により、ヒータ要素４０の出力を能動的に調整して、フィードバック型制御システムを使用可能にし、金属２が高速反応ヒータ１を離れるときに金属２の静的または動的な目標金属温度を達成することができる。
【００２５】
さらに図２を参照すると、制御ユニット３０は、金属処理炉１０（図１）内のセンサー読取状態から付加的な信号情報を受信することができる。高速反応ヒータ１が金属２を予熱して金属炉処理の遅い反応時間を補償する場合、制御ユニット３０が１つ以上の金属処理炉ゾーン１１の状態に関する信号情報を受け取ることが望ましい場合がある。例えば、制御ユニット３０は、金属２の温度を示す（例えば、図３の炉ゾーン金属温度センサー２５からの）炉ゾーン金属温度信号２２５、または金属処理炉１０の炉ゾーン１１内の雰囲気の温度を示す（例えば、図３の炉ゾーン空気／雰囲気温度センサー２６からの）炉ゾーン空気または雰囲気温度信号２２６を受け取る。次に、これら２つの信号２２５、２２６の一方または両方を用いて、金属処理炉１０の任意の特定のゾーン１１におけるヒートヘッド（炉ゾーン雰囲気とそのゾーン内の金属との間の温度差）を計算することができる。次に、制御ユニット３０は、炉ゾーン温度及びヒートヘッドを評価して、金属処理炉１０内の金属２への熱伝達率を計算し、ヒータ要素４０の出力を調整して、金属２に加えられる予熱の量を制御することができる。炉ゾーン温度及び各ゾーン内の金属２の温度に関する情報を用いて、金属処理炉１０からの金属２への熱伝達量を計算することができる。この情報は、必要に応じて金属２に適切な熱量を伝達するように加熱素子４０を連続的に調整するため制御ユニット３０によって使用することができる。金属処理炉１０が正しい定常動作温度に遷移すると、制御ユニット３０は、状態が変化していることを感知し、それに応じて加熱素子４０の出力を調整する。
【００２６】
制御ユニット３０は、任意数の付加的な制御戦略を使用して、高速反応ヒータ１のヒータ要素４０を調整し、特定の金属及び処理のための特定の範囲内の工程パラメータを維持することができる。例えば、制御ユニット３０は、上記のようなセンサー及びフィードバック情報を使用し、高速反応ヒータ１の出力を変動させることによって最適な工程状態を維持することができる。制御ユニット３０は、また、例えば、過渡応答、非過渡応答であり得る熱モデル、または高速反応ヒータ１、金属処理炉１０、及び／または金属２の様々なタイプ、形状、または厚さの他のタイプの熱モデルを使用して、高速反応ヒータ１の正しい出力を決定する。例えば、オペレータは、所望の金属処理炉１０の状態、処理される金属２のタイプ、及び／または金属２の質量流量に関して、制御ユニット３０に情報を入力することができる。次に、予めプログラムされていてもよい制御ユニット３０は、熱モデルを使用して、高速反応ヒータ１の正しい出力を決定し、かつ、金属処理炉１０が定常状態の動作を達成するにつれて、時間の経過と共に出力をどのように変更するかを決定することができる。制御ユニット３０は、センサー、熱モデル、及び／またはオペレータ入力の任意の組み合わせを使用して、高速反応ヒータ１の正しい出力を決定し、変化している工程状態に対して補償することができる。さらに、制御ユニット３０は、上述したセンサーの１つ、全て、または任意の組み合わせからの情報を使用してもよく、または専用の質量流量センサーのような上記に列挙されていない付加的なセンサーを組み込んでもよい。
【００２７】
図３は、金属処理炉１０のゾーン１１を通過する金属２の概略側面図である。炉ゾーン１１は、オプションの炉ゾーン金属温度センサー２５と、オプションの炉ゾーン空気／雰囲気温度センサー２６とを特徴とする。次に、これらのセンサー２５、２６は、制御ユニットが高速反応ヒータ（例えば、図２の高速反応ヒータ１）の熱出力を制御できるように、制御ユニット（例えば、図２の制御ユニット３０）に信号（例えば、図２の信号２２５、２２６）を送る。
【００２８】
図４は、金属処理炉１０の最終ゾーン１１を通過する金属２の概略側面図である。炉ゾーン１１は、オプションの炉ゾーン金属温度センサー２５と、オプションの炉ゾーン空気／雰囲気温度センサー２６とを組み込んでいる。上記のように、これらのセンサーは、変化している状態下で最適な工程パラメータを維持するように、高速反応ヒータ（例えば、図２の高速反応ヒータ１）の出力を調整するために、制御ユニット（例えば、図２の制御ユニット３０）によって使用される。金属処理炉１０の端部またはその近くには、オプションの炉出口金属温度センサー２７を設置することができる。このセンサー２７は、制御ユニット（例えば、制御ユニット３０）が、金属処理炉１０の変化している工程状態または過渡的挙動を計算に入れて高速反応ヒータ（例えば、高速反応ヒータ１）の出力を調整することができるように、金属２が金属処理炉１０を離れるときに金属２の温度に関する情報を中継することができる。オプションの平坦または品質センサー２８を制御システムに組み込むこともできる。平坦度または品質センサー２８は、金属の平坦度または一般的品質状態に関する情報を制御ユニットに中継することができる。制御ユニット（例えば、制御ユニット３０）は、最終製品の品質を改善するために、高速反応ヒータ（例えば、高速反応ヒータ１）の出力を調整することができる。
【００２９】
図５は、オプションの制御システムの一実施例を示す概略図である。制御ユニット３０は、多数のセンサーまたはソースから情報を受け取ることができる。図示のように、制御ユニット３０は、金属の入来温度２２、金属の入来速度２１、金属の厚さ２３、高速反応ヒータ出口での金属温度２４、金属処理炉ゾーン金属温度２５、金属処理炉ゾーン空気／囲気温度２６、金属処理炉金属出口温度２７、及び／または平坦度または品質２８を受け取ることができる。制御ユニット３０は、また、オペレータからの入力、及び／または高速反応ヒータ１、金属２、または金属処理炉１０の熱モデルを受け取ることもできる。次に、制御ユニット３０は、これらの入力のうちの１つ以上を、高速反応ヒータ１のヒータ要素４０に送られる出力信号を生成する制御アルゴリズムに組み込むことができる。いくつかの場合、熱モデル、他のモデル、または記憶された、ないしは所定のパラメータは、コントローラ３０に結合された、またはコントローラ３０に含まれるデータ記憶装置３１（例えば、非一時的データ記憶媒体）に記憶してもよい。
【００３０】
図６は、金属処理工程の変化しているパラメータ及び状態に関連して、高速反応ヒータ１の熱出力を制御するための１つのサンプル制御ループ６００を示す図である。制御ユニット３０は、ブロック６０１で金属処理炉ゾーン空気／雰囲気温度、及びブロック６０２で金属処理炉ゾーン金属温度を感知する。制御ユニット３０は、ブロック６０１及び６０２で感知された２つの温度間の差を見出すことによって、ブロック６０３でその特定の金属処理炉ゾーンのヒートヘッドを計算する。次に、制御ユニット３０は、ブロック６０４において、この計算されたヒートヘッドを所望のヒートヘッドと比較する。計算されたヒートヘッドが所望のヒートヘッドよりも低い場合、ブロック６０５で、制御ユニット３０は高速反応ヒータ１の熱出力を上昇させる。計算されたヒートヘッドが所望のヒートヘッドを上回っている場合、ブロック６０６で、制御ユニット３０は高速反応ヒータ１の熱出力を低下させる。計算されたヒートヘッドが所望のヒートヘッドの範囲内にある場合、制御ユニット３０は、ブロック６０７で高速反応ヒータ１の熱出力を維持する。ブロック６０５、６０６、及び６０７で制御ユニット３０が高速反応ヒータ１の出力を調整した後、制御ユニット３０はブロック６０１に戻り、制御ループ６００を再び通過する。いくつかの場合において、ブロック６０４で、測定されたヒートヘッドを必要なヒートヘッドと比較することにより、ブロック６０５でヒータ電力をいつ上げるか、ブロック６０６でいつヒータ電力を下げるか、またはブロック６０７でいつヒータ電力を維持するかを決定するために、ヒステリシスを使用することができる。ヒステリシスの量及び程度は、ブロック６０８〜６１５に示されるような任意の適切な入力に基づくことができる。
【００３１】
さらに図６を参照すると、制御ユニット３０はまた、サンプル制御ループ６００への付加的な入力を感知または受け取って、高速反応ヒータ１の出力に対する調整の制御または精度を高めることができる。例えば、制御ユニット３０は、ブロック６０８において金属２が高速反応ヒータ１に入るときに金属２の温度を感知することができる。制御ユニット３０はまた、ブロック６０９で材料の厚さ、及び／またはブロック６１０で金属走行速度を感知することができる。制御ユニット３０は、ブロック６１１で特定の材料、またはブロック６１２で所望の工程パラメータなどのオペレータ入力を受け取ることができる。この情報は、ブロック６０４において、実際の工程パラメータを所望のパラメータと比較するために使用することができる。
【００３２】
出口パラメータは、付加的なフィードバックループがサンプル制御ループ６００に加えられ得るように、制御ユニット３０内で感知または入力することができる。例えば、制御システムは、ブロック６１３で高速反応ヒータ１を出るときの金属温度、ブロック６１４で金属処理炉１０を出るときの金属の平坦度または品質、及び／またはブロック６１５での金属処理炉１０における金属温度を感知することができる。次いで、これらの出口パラメータは、制御ループ６００に類似した追加の制御ループの所望のパラメータと比較され得るか、または制御ループ６００へのサブループもしくは追加の変数として追加され得る。
【００３３】
サンプル制御ループ６００は、１つまたは複数の金属処理炉ゾーン１１に対して所望のヒートヘッド（または他のパラメータ）を達成するように制定されてもよい。制御ループ６００は、全体として金属処理炉１０のヒートヘッドを制御するために使用することもできる。同様の制御ループは、高速反応ヒータ１での所望の金属出口温度と測定された金属出口温度との比較など、高速反応ヒータ１と併用してのみ使用することもできる。制御ループを完全に排除することも可能である。高速反応ヒータ１は、高速反応ヒータ１の出力を制御するために、オペレータによって手動で制御され、またはユーザ入力に応答して、感知を必要とせず、ないしは感知を低減する必要もない熱モデルを使用してもよい。
【００３４】
図示または記載されていないコンポーネント及びステップだけでなく、図面に示され、または上記に記載された、様々なコンポーネントの構成も可能である。同様に、いくつかの特徴及びサブコンビネーショが有用であり、他の特徴及びサブコンビネーションを参照することなく使用することができる。本発明の実施形態は、例示的かつ非制限的な目的で記載されており、代替の実施形態がこの特許の読者には明らかであろう。したがって、本発明は、上記に記載した、または図面に示した実施形態に限定されるものではなく、以下の特許請求の範囲から逸脱することなく、様々な実施形態及び改変を行うことができる。
【００３５】
以下で使用されるように、一連の実施例に対する任意の言及は、これらの実施例の各々を分離して参照するものとして理解されるべきである（例えば、「実施例１〜４」は「実施例１、２、３、または４」と理解されるべきである）。
【００３６】
実施例１は、動いている金属シートを受け入れるための炉入口を有する金属処理炉であって、金属処理炉内の雰囲気温度を測定するためのセンサーを備えた金属処理炉と、金属シートを予熱するために炉入口に近接して配置可能な高速反応ヒータと、金属処理炉内の雰囲気温度を用いて高速反応ヒータの熱出力を自動的に制御するように、センサー及び高速反応ヒータに結合されたコントローラと、を備える、金属処理システムである。
【００３７】
実施例２は、金属処理炉が、金属処理炉内の動いている金属シートの温度を測定するための第２のセンサーをさらに備え、かつ、コントローラは、金属処理炉内の動いている金属シートの温度をさらに用いて高速反応ヒータの熱出力を自動的に制御するように、第２のセンサーにさらに結合される、実施例１に記載の金属処理システムである。
【００３８】
実施例３は、高速反応ヒータが連続的に動作される、実施例１または実施例２に記載の金属処理システムである。
【００３９】
実施例４は、金属処理炉の雰囲気温度が、予め選択された温度の約１０パーセントの範囲内にとどまる、実施例１〜３に記載の金属処理システムである。
【００４０】
実施例５は、金属処理炉の雰囲気温度が、予め選択された温度の約５パーセントの範囲内にとどまる、実施例１〜４に記載の金属処理システムである。
【００４１】
実施例６は、高速反応ヒータが、金属処理炉の遷移中に動作される、実施例１〜５に記載の金属処理システムである。
【００４２】
実施例７は、金属処理炉の遷移が、金属シートまたはプレートの厚さ、金属シートまたはプレートの処理速度、金属シートまたはプレートの合金、及び金属処理炉の目標温度の変更からなる群から選択される少なくとも１つの遷移を含む、実施例６に記載の金属処理システムである。
【００４３】
実施例８は、高速反応ヒータが誘導ヒータを備える、実施例１〜７に記載の金属処理システムである。
【００４４】
実施例９は、高速反応ヒータが直接火炎衝突ヒータを備える、実施例１〜７に記載の金属処理システムである。
【００４５】
実施例１０は、高速反応ヒータが誘導ヒータ及び直接火炎衝突ヒータを備える、実施例１〜７に記載の金属処理システムである。
【００４６】
実施例１１は、金属シートの厚さを測定する厚さセンサーを備え、コントローラが、金属シートの厚さをさらに用いて高速反応ヒータの熱出力を自動的に制御するように、厚さセンサーにさらに結合される、実施例１〜１０に記載の金属処理システムである。
【００４７】
実施例１２は、金属シートのスループットを測定するスループットセンサーをさらに備え、コントローラが、金属シートのスループットをさらに用いて高速反応ヒータの熱出力を自動的に制御するように、スループットセンサーにさらに接続される、実施例１〜１１に記載の金属処理システムである。
【００４８】
実施例１３は、さらに熱モデルを含むデータストアを備え、コントローラが、熱モデルをさらに用いて高速反応ヒータの熱出力を自動的に制御するように、データストアにさらに接続される、実施例１〜１２に記載の金属処理システムである。
【００４９】
実施例１４は、熱モデルが、高速反応ヒータのパラメータ、金属処理炉のパラメータ、及び金属特性からなるグループから選択された少なくとも１つのパラメータを含む、実施例１３に記載の金属処理システムである。
【００５０】
実施例１５は、高速反応ヒータが、金属シートの幅にわたって個々の部分に選択的に熱を加えるように、高速反応ヒータを横切って間隔を置かれた複数の個別加熱要素を含み、コントローラは、複数の個別加熱要素がシートの幅にわたって金属シートを選択的に予熱するように、複数の個別加熱要素の各々の熱出力を個別に制御するよう構成される、実施例１〜１４に記載の金属処理システムである。
【００５１】
実施例１６は、コントローラが、金属処理炉の雰囲気温度を用いて計算される金属処理炉のヒートヘッドを用いて高速反応ヒータの熱出力を自動的に制御するように構成される、実施例１〜１５に記載の金属処理システムである。
【００５２】
実施例１７は、高速反応ヒータ内の金属シートを予熱することと、金属処理炉内金属シートに熱を加えることと、金属処理炉内の前記雰囲気温度を監視することと、監視された雰囲気温度を用いて高速反応ヒータの熱出力を自動的に調整することと、を含む、金属を処理する方法である。
【００５３】
実施例１８は、金属処理炉内の動いている金属シートの温度を監視することをさらに含み、高速反応ヒータの熱出力を自動的に調整することが、監視された雰囲気温度及び動いている金属シートの監視された温度を用いて加ヒートヘッドを計算することと、計算されたヒートヘッドに基づいて高速反応ヒータの熱出力を調整することを含む、実施例１７に記載の方法である。
【００５４】
実施例１９は、高速反応ヒータ内の金属シートを予熱することが連続的に行われる、実施例１７または１８に記載の方法である。
【００５５】
実施例２０は、金属処理炉内の金属シートに熱を加えることが、金属処理炉を一定温度に維持することを含む、実施例１７〜１９に記載の方法である。
【００５６】
実施例２１は、金属処理炉の雰囲気温度を第１の温度設定と第２の温度設定との間で遷移させることをさらに含み、高速反応ヒータの熱出力を自動的に調整することは、遷移中の金属処理炉の雰囲気温度への変更を補償するように熱出力を選択することを含む、実施例１７〜２０に記載の方法である。
【００５７】
実施例２２は、高速反応ヒータが誘導ヒータを含む、実施例１７〜２１に記載の方法である。
【００５８】
実施例２３は、高速反応ヒータが直接火炎衝突ヒータを含む、実施例１７〜２１に記載の方法である。
【００５９】
実施例２４は、高速反応ヒータが誘導ヒータ及び直接火炎衝突ヒータを含む、実施例１７〜２１に記載の方法である。
【００６０】
実施２５は、金属シートの厚さを監視することをさらに含み、高速反応ヒータの熱出力を自動的に調整することが、監視された厚さを用いることを含む、実施例１７〜２４に記載の方法である。
【００６１】
実施例２６は、金属シートのスループット速度を監視することをさらに含み、高速反応ヒータの熱出力を自動的に調整することが、監視されたスループット速度を用いることを含む、実施例１７〜２５に記載の方法である。
【００６２】
実施例２７は、高速反応ヒータの熱出力を自動的に調整することが、熱モデルを用いることを含む、実施例１７〜２６に記載の方法である。
【００６３】
実施例２８は、熱モデルが、高速反応ヒータのパラメータ、金属処理炉のパラメータ、及び金属特性からなるグループから選択された少なくとも１つのパラメータを含む、実施例２７に記載の方法である。
【００６４】
実施例２９は、高速反応ヒータ内の金属シートを予熱することが、高速反応ヒータを横切って間隔を置いて配置された複数の個別加熱要素を用いて金属ストリップの幅にわたって選択的に熱を加えることを含み、かつ、高速反応ヒータの熱出力を自動的に調整することが、金属ストリップの金属ストリップの幅にわたって選択的な熱の印加を制御するように、複数の個別加熱要素の各々を個別に制御することを含む、実施例１７〜２８に記載の方法である。
【図１】
2019189945.tif 000003
【図２】
2019189945.tif 000004
【図３】
2019189945.tif 000005
【図４】
2019189945.tif 000006
【図５】
2019189945.tif 000007
【図６】
2019189945.tif 000008
【外国語明細書】
2019189945.tif 000009
2019189945.tif 000010
2019189945.tif 000011
2019189945.tif 000012
2019189945.tif 000013
2019189945.tif 000014
2019189945.tif 000015
2019189945.tif 000016
2019189945.tif 000017
2019189945.tif 000018
2019189945.tif 000019
2019189945.tif 000020
2019189945.tif 000021
2019189945.tif 000022
2019189945.tif 000023
2019189945.tif 000024
2019189945.tif 000025
2019189945.tif 000026
2019189945.tif 000027
2019189945.tif 000028
2019189945.tif 000029
2019189945.tif 000030
2019189945.tif 000031
2019189945.tif 000032
2019189945.tif 000033
2019189945.tif 000034
2019189945.tif 000035
2019189945.tif 000036
2019189945.tif 000037